【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
モジュール式血管内移植片であって、
第１の壁部材によって境界を区切られた第１の液流管腔と、第１の壁部材の上に配置されている第１の取付け要素と、第１の液流管腔を取り巻いているとともに、膨張状態になると、第１の壁部材から放射方向に張り出す第１の膨張可能な折返し帯とを有する第１の移植片本体部と、
第２の壁部材によって境界を区切られた第２の液流管腔と、第２の壁部材上に配置された第２の取付け要素とを有する第２の移植片本体部とを備え、前記第２の取付け要素が前記第１の取付け要素に固着されると、前記第１の液流管腔は前記第２の液流管腔に封鎖固定されるように構成される、
ことを特徴とする、モジュール式血管内移植片。
【請求項２】
前記第１の移植片本体部は、その上を覆って分布させられて膨張可能な折返し帯と流体連絡状態になる、膨張可能なチャネルのネットワークを更に備えており、膨張可能なチャネルのネットワークが膨張状態になると、構造剛性を供与するとともに、第１の移植片本体部を支持するように構成したことを特徴とする、請求項１に記載のモジュール式血管内移植片。
【請求項３】
前記第１の移植片本体部の端部に固着されたステントを更に備え、前記第１の取付け要素はステントの反対側で第１の移植片本体部の端部に配置されることを特徴とする、請求項１に記載のモジュール式血管内移植片。
【請求項４】
前記第１の移植片本体部の前記壁部材と前記第２の移植片本体部の前記壁部材の上に配置されたコネクタ部材を更に備えており、前記ステントはコネクタ部材に固着されることを特徴とする、請求項３に記載のモジュール式血管内移植片。
【請求項５】
前記第１の取付け要素は少なくとも一部が前記第２の取付け要素に固着されて、軸線方向の長さを有する軸線方向の重畳部を形成し、軸線方向の重畳部の軸線方向の長さは、前記両取付け要素が互いに固着された際の前記第１の移植片本体部と前記第２の移植片本体部の相対的な軸線方向の位置に基づいて変動するように構成したことを特徴とする、請求項１に記載のモジュール式血管内移植片。
【請求項６】
前記第１の取付け要素には、複数の可撓性フックが互いに隣接して前記第１の壁部材の実面積を覆って設けられており、前記第２の取付け要素には、複数の可撓性ループが互いに隣接して前記第２の壁部材の実面積を覆って設けられており、可撓性フックは、第１の取付け要素が第２の取付け要素に押圧されると、可撓性ループと機械的に係合するように構成されることを特徴とする、請求項１に記載のモジュール式血管内移植片。
【請求項７】
前記第１の取付け要素には、拡大ヘッド部を有する複数のボタンが互いに離隔されて前記第１の壁部材の表面に設けられており、前記第２の取付け要素は、複数の開口部を有する拡張可能なメッシュ構造から構成されており、メッシュ構造が周方向に抑制された状態になっている間、開口部にボタンの拡大ヘッド部が入ってこられるようにするとともに、メッシュ構造が周方向に拡張した状態になっている間、ボタンの拡大ヘッド部を捕獲することができるように構成されることを特徴とする、請求項１に記載のモジュール式血管内移植片。
【請求項８】
前記第１の取付け要素には、前記第１の壁部材の表面から放射方向に張り出した複数のピンが設けられており、前記第２の取付け要素は、複数の開口部を有する拡張可能なメッシュ構造から構成されており、前記第１の取付け要素が第２の取付け要素に押圧されると、開口部にピンが入るのを可能にするように構成されることを特徴とする、請求項１に記載のモジュール式血管内移植片。
【請求項９】
前記膨張可能な折返し帯は硬化可能材を保有しており、前記第２の取付け要素は、棘部材を設けた拡張可能な部材から構成されており、拡張可能な部材は外方向に張り出して膨張可能な折返し帯と硬化可能材に入り込むように構成されることを特徴とする、請求項１に記載のモジュール式血管内移植片。
【請求項１０】
前記第１の取付け要素には、前記第１の移植片本体部に固着された拡張可能な円筒状部材の外面から放射方向に張り出した複数の突起部が設けられており、前記第２の取付け要素は、複数の開口部を設けた拡張可能なメッシュ構造から構成されており、拡張可能な円筒状部材が拡張すると、開口部に突起部が入ってこられる構成になっており、少なくとも１個の突起部が第２の取付け要素の拡張可能なメッシュ構造の開口部に押し入るように構成されることを特徴とする、請求項１に記載のモジュール式血管内移植片。
【請求項１１】
モジュール式血管内移植片であって、
第１の壁部材によって境界を区切られた第１の液流管腔と、第１の壁部材の上に配置されている第１の膨張可能部材が設けられた第１の取付け要素とを有している第１の移植片本体部と、
第２の壁部材によって境界を区切られた第２の液流管腔と、第２の壁部材上に配置された第２の取付け要素とを有している第２の移植片本体部とを備え、第２の取付け要素は、第１の膨張可能部材が膨張状態になると、第１の膨張可能部材と嵌合して、第１の移植片本体部と第２の移植片本体部が軸線方向に分離するのを阻止するように構成される、
ことを特徴とするモジュール式血管内移植片。
【請求項１２】
前記第１の膨張可能部材には、膨張状態になると、前記第１の移植片本体部の前記第１の壁部材の内面に接する、周囲寸法を減じた第１のショルダー部が設けられており、
前記第２の取付け要素には、第１のショルダー部と機械的に嵌合して前記第１の移植片本体部と前記第２の移植片本体部が軸線方向に分離するのを阻止するように構成され、かつ周囲寸法を減じた第２のショルダー部が設けられる、
ことを特徴とする、請求項１１に記載のモジュール式血管内移植片。
【請求項１３】
前記第１の移植片本体部は、その上を覆って分布させられた膨張可能なチャネルのネットワークを更に備えており、膨張可能なチャネルのネットワークが膨張状態になると、構造剛性を供与するとともに、第１の移植片本体部を支持するように構成したことを特徴とする、請求項１１に記載のモジュール式血管内移植片。
【請求項１４】
前記第１の移植片本体部には、複数の第１の膨張可能部材が第１の移植片本体部の長手方向軸線に沿って互いに軸線方向に離隔されて設けられており、前記第２の移植片本体部の前記第２の取付け要素は、第１の膨張可能部材のいずれかが膨張状態になると、その第１の膨張可能部材と嵌合して、配備時に、互いに接合された両移植片本体部の軸線方向の長さを調節することができるように構成されることを特徴とする、請求項１１に記載のモジュール式血管内移植片。
【請求項１５】
前記第２の移植片本体部には、複数の第２の取付け要素が第２の移植片本体部の長手方向軸線に沿って互いに軸線方向に離隔されて設けられており、前記第１の移植片本体部の前記第１の膨張可能部材は、第１の膨張可能部材のいずれかが膨張状態になると、その第１の膨張可能部材と嵌合して、配備時に、互いに接合された両移植片本体部の軸線方向の長さを調節することができるように構成されることを特徴とする、請求項１１に記載のモジュール式血管内移植片。
【請求項１６】
前記膨張可能部材は硬化可能材を保有しており、前記第２の取付け要素は、棘部材を設けた拡張可能な部材から構成されており、拡張可能な部材は外方向に張り出して前記膨張可能部材と硬化可能材に入り込むように構成されることを特徴とする、請求項１１に記載のモジュール式血管内移植片。
【請求項１７】
前記第１の移植片本体部は、前記第１の壁部材に設けられて前記第１の膨張可能部材に軸線方向に隣接する弾性部材を更に備えており、前記第２の取付け要素との嵌合を向上させるように構成されることを特徴とする、請求項１１に記載のモジュール式血管内移植片。
【請求項１８】
前記第２の取付け要素には、前記第１の膨張可能部材を受容して嵌合するような構成の窪みポケットが設けられることを特徴とする、請求項１１に記載のモジュール式血管内移植片。
【請求項１９】
前記第２の移植片本体部は勾配を設けた部分を更に備えており、前記第２の液流管腔は周囲寸法が増した部分まで勾配が設けられて、前記第１の液流管腔の内面と嵌合するように構成されることを特徴とする、請求項１１に記載のモジュール式血管内移植片。